(57)【要約】【課題】屋根を伝って鼻隠し板へ流れる雨水や、軒樋からの跳ね返り水や、強風時の横殴りの雨などが、軒樋と鼻隠し板との間に入り込むことを抑制できる軒先の水切り構造を提案すること。【解決手段】軒樋１を鼻隠し板２から屋外側に離して設けた軒先の水切り構造である。軒樋１本体の屋内側から延設される後耳部１０に、軒樋１と鼻隠し板２との間を覆うための飛散防止カバー３を取り付ける。飛散防止カバー３は、後耳部１０に取り付ける耳部取付部３０と、耳部取付部３０から上方に向けて突出する上向き突出片３１とを備える。この上向き突出片３１は、上端部が鼻隠し板２に接触する。そして、耳部取付部３０は、下方に開口する凹溝を有する。【選択図】図１
2013067943.tif 000002
【特許請求の範囲】
【請求項１】
軒樋を鼻隠し板から屋外側に離して設けた軒先の水切り構造であって、
軒樋本体の屋内側から延設される後耳部に、前記軒樋と前記鼻隠し板との間を覆うための飛散防止カバーを取り付け、
前記飛散防止カバーは、前記後耳部に取り付ける耳部取付部と、前記耳部取付部から上方に向けて突出して前記軒樋と前記鼻隠し板との間を覆うための上向き突出片とを備え、
前記上向き突出片は、上端部が前記鼻隠し板に接触し、
前記耳部取付部は、下方に開口する凹溝を有することを特徴とする軒先の水切り構造。
【請求項２】
前記耳部取付部の下端部には、凹溝内部に向けて突出する抜け止め部を備えることを特徴とする請求項１に記載の軒先の水切り構造。
【発明の詳細な説明】
【技術分野】
【０００１】
本発明は、雨水が軒樋と鼻隠し板との間に入り込むことを防止する軒先の水切り構造に関するものである。
【背景技術】
【０００２】
一般的に、軒樋は、鼻隠し板から屋外側に離れた箇所に設けられる。この軒樋と鼻隠し板との間に雨水が入り込むことを防止するための軒先の水切り構造が、例えば特許文献１によって提案されている。
【０００３】
この軒先の水切り構造では、図３に示すように、軒樋１本体の屋内側から延設される後耳部１０に、上方に向けて突出する飛散防止片９を取り付けている。
【０００４】
このような構成によって、軒樋１からの跳ね返り水が、軒樋１と鼻隠し板２との間に入り込むことを防止している。
【先行技術文献】
【特許文献】
【０００５】
【特許文献１】特開２００９−９１７９８号公報
【発明の概要】
【発明が解決しようとする課題】
【０００６】
しかし、上述の軒先の水切り構造では、屋根８を伝って鼻隠し板２へ雨水が流れ込むことや、軒樋１から飛び跳ねた水や強風による横殴りの雨が飛散防止片９を越えて、軒樋１と鼻隠し板２との間に入り込むことがあり、その間の部分が汚れてしまっていた。
【０００７】
そこで、上記事情を鑑みて、本発明は、屋根を伝って鼻隠し板へ流れる雨水や、軒樋からの跳ね返り水や、強風時の横殴りの雨などが、軒樋と鼻隠し板との間に入り込むことを抑制できる軒先の水切り構造を提案することを課題とする。
【課題を解決するための手段】
【０００８】
上記課題を解決する本発明は、軒樋を鼻隠し板から屋外側に離して設けた軒先の水切り構造であって、軒樋本体の屋内側に延設される後耳部に、前記軒樋と前記鼻隠し板との間を覆うための飛散防止カバーを取り付け、前記飛散防止カバーは、前記後耳部に取り付ける耳部取付部と、前記耳部取付部から上方に向けて突出して前記軒樋と前記鼻隠し板との間を覆うための上向き突出片とを備え、前記上向き突出片は、上端部が前記鼻隠し板に接触し、前記耳部取付部は、下方に開口する凹溝を有することを特徴とする。
【０００９】
また、前記耳部取付部の下端部には、凹溝内部に向けて突出する抜け止め部を備えることが好ましい。
【発明の効果】
【００１０】
本発明の軒先の水切り構造は、屋根を伝って鼻隠し板へ流れる雨水や、軒樋からの跳ね返り水や、強風時の横殴りの雨などが、軒樋と鼻隠し板との間に入り込むことを抑制できる。
【図面の簡単な説明】
【００１１】
【図１】本発明の実施形態の軒先の水切り構造を示した説明図である。
【図２】同上の水切り構造に用いられる飛散防止カバーを示し、（ａ）は斜視図であり、（ｂ）は側面図である。
【図３】従来例の軒先の水切り構造を示した説明図である。
【発明を実施するための形態】
【００１２】
本発明を添付図面に示す実施形態に基づいて説明する。
【００１３】
本実施形態の軒先の水切り構造は、図１に示すように、鼻隠し板２に軒樋吊り支持具４が固定してあって、その軒樋吊り支持具４によって、軒樋１を吊り支持している。なお、軒先には、水切り板５を屋根から垂下させて設けている。水切り板５は、軒樋１の長手方向に長尺の矩形板からなる。以下においては、鼻隠し板２に対して軒樋吊り支持具４がある方向を屋外側とし、その逆側を屋内側として説明を行う。
【００１４】
軒樋１は、軒樋１本体の屋外側から延設される前耳部１１と、軒樋１本体の屋内側から延設される後耳部１０とを備える。前耳部１１は、軒樋１本体の底壁の屋外側端部から立ち上がった屋外側壁１２の上端部から、軒樋１内側に向けて突出するように延設されている。また、後耳部１０は、軒樋１本体の底壁の屋内側端部から立ち上がった屋内側壁１３の上端部から、軒樋１内側に向けて突出するように延設されている。前耳部１１と後耳部１０とはそれぞれ、角筒状であり、軒樋吊り支持具４によって支持される。
【００１５】
軒樋吊り支持具４は、前耳部１１を支持する前支持部４０と、後耳部１０を支持する後支持部４１とを備える。軒樋吊り支持具４は、軒樋１の長手方向に沿って複数並んで鼻隠し板２に固定されている。そのため、軒樋１はその長手方向に亘って、複数の軒樋吊り支持具４によって吊り支持される。
【００１６】
軒樋１の長手方向に隣り合う軒樋吊り支持具４，４間の軒樋１の後耳部１０に、軒樋１と鼻隠し板２との間を覆うための飛散防止カバー３が取り付けられる。
【００１７】
飛散防止カバー３は、図２（ａ）に示すように、後耳部１０に取り付ける耳部取付部３０と、耳部取付部３０から上方に向けて突出する上向き突出片３１とを備える。この上向き突出片３１は、耳部取付部３０を後耳部１０に取り付けた状態で、上向き突出片３１の上端部が鼻隠し板２に接触する。そして、耳部取付部３０は、下方に開口する凹溝を有する。
【００１８】
上向き突出片３１は、上端部が鼻隠し板２に接触して、鼻隠し板２表面を流れる水を、上向き突出片３１の屋外側の面に伝わらせて、その水を下方の軒樋１内に誘導するものである。本実施形態では、屋内側ほど上方に位置するように傾斜した略矩形板状の傾斜片で構成されている。なお、上向き突出片３１は、上述した形状に限定されない。
【００１９】
耳部取付部３０は、後耳部１０に上方から嵌め込むことができるように、下方に開口する凹溝を有する。凹溝は、後耳部１０の上側に位置する上傾斜片３５と、後耳部１０の屋外側に位置する屋外側片３３と、後耳部１０の屋内側に位置する屋内側片３４とで形成される。上傾斜片３５は、屋内側ほど上方に位置するよう傾斜しており、屋外側片３３は、上傾斜片３５の屋外側の端部から略鉛直下向きに延びており、屋内側片３４は、上傾斜片３５の屋内側の端部から略鉛直下向きに延びている。耳部取付部３０を後耳部１０に嵌め込んだ状態で、屋外側片３３と屋内側片３４とで後耳部１０を挟持する。上向き突出片３１は、上傾斜片３５の屋内側の端部（上端部）から上方に向けて突出している。なお、耳部取付部３０は、上述した形状に限定されない。
【００２０】
さらに、耳部取付部３０は、その下端部に、凹溝内部に向けて突出する抜け止め部３２を備えている。つまり、本実施形態では、屋外側片３３の下端に、凹溝内部に向けて突出する抜け止め部３２が設けられている。後耳部１０に取り付けられた耳部取付部３０は、この抜け止め部３２によって抜け止めされる。
【００２１】
上述した構造の飛散防止カバー３は、耳部取付部３０を後耳部１０に取り付けた状態で、上向き突出片３１の上端部が、隣り合う軒樋吊り支持具４間に亘って、鼻隠し板２に接触する。この飛散防止カバー３を、軒樋１の長手方向に沿って複数設けた各軒樋吊り支持具４間にそれぞれ取り付けることで、軒樋１の長手方向略全長に亘って、軒樋１と鼻隠し板２間に水が入り込むことを抑制できる。
【００２２】
なお、軒樋１と鼻隠し板２間の距離が様々なタイプのものに使用できるように、上向き突出片３１は上下方向に長く設けることが好ましく、鼻隠し板２に対して上向き突出片３１が弾接するように設けてもよい。また、飛散防止カバー３は、軒樋１の長手方向に長尺となるように形成して、隣り合う軒樋吊り支持具４，４間の距離に合わせて切り出して使用することが好ましい。
【００２３】
以上のように、本実施形態の軒先の水切り構造は、軒樋１を鼻隠し板２から屋外側に離して設けた軒先の水切り構造である。軒樋１本体の屋内側から延設される後耳部１０に、軒樋１と鼻隠し板２との間を覆うための飛散防止カバー３を取り付ける。飛散防止カバー３は、後耳部１０に取り付ける耳部取付部３０と、耳部取付部３０から上方に向けて突出する上向き突出片３１とを備える。この上向き突出片３１は、上端部が鼻隠し板２に接触する。そして、耳部取付部３０は、下方に開口する凹溝を有する。
【００２４】
このような構成とすることで、本実施形態の軒先の水切り構造では、屋根を伝って鼻隠し板２へ流れてきた雨水や、軒樋１からの跳ね返り水や、強風時の横殴りの雨などが鼻隠し板２に掛かっても、この水を鼻隠し板２に上端部を接触させた上向き突出片３１によって、軒樋１内へと誘導することができる。これにより、軒樋１と鼻隠し板２との間に雨水が入り込んで、その間が汚れることを抑制できる。
【００２５】
また、本実施形態の軒先の水切り構造では、耳部取付部３０の下端部に、凹溝内部に向けて突出する抜け止め部３２を備えている。
【００２６】
このような構成とすることで、抜け止め部３２により、強風などによって飛散防止カバー３が軒樋１から外れてしまうことを抑制できる。これにより、軒樋１と鼻隠し板２との間に雨水が入り込んで、その間が汚れることをより確実に抑制できる。
【００２７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００２８】
１      軒樋
１０    後耳部
２      鼻隠し板
３      飛散防止カバー
３０    耳部取付部
３１    上向き突片
３２    抜け止め部
【図１】
2013067943.tif 000003
【図２】
2013067943.tif 000004
【図３】
2013067943.tif 000005